(57)【要約】【課題】ＬＥＤランプなどを用いて空気質の検出結果を表示する従来の空気調和機では、空調空間に含まれる空気質の状態をユーザが把握しにくい問題がある。【解決手段】この端末装置３では、空調空間に含まれる空気質（水分、ホコリ、花粉、ニオイ）に対応した第１仮想空間画像（水分画像６１、ホコリ画像６２、花粉画像６３、ニオイ画像６４）が、撮像部５０（撮像手段）で撮像した撮像画像が表示された表示画面５２に表示される。また、この端末装置３では、空気清浄機２（空気調和機）の吸込口１１から吸い込まれる風に対応した第２仮想空間画像および空気清浄機２（空気調和機）の吹出口１２から吹き出される風に対応した第３仮想空間画像が、空調空間の撮像画像上に表示される。【選択図】図４
2014206291.tif 000002
【特許請求の範囲】
【請求項１】
空気調和を行う対象となる空調空間を撮像する撮像手段と、
前記撮像手段で撮像された撮像画像を表示する表示画面と、
前記表示画面に表示される表示内容を制御する制御手段とを備え、
前記制御手段は、空調空間に含まれる空気質に対応した１または複数の第１仮想空間画像を前記撮像画像が表示された表示画面に表示することを特徴とする端末装置。
【請求項２】
空気調和機との間において空気質情報を含む各種情報の通信を行う通信手段を備え、
前記制御手段は、前記通信手段によって空気調和機から取得した空気質情報に基づいて、前記第１仮想空間画像を前記撮像画像が表示された表示画面に表示することを特徴とする請求項１に記載の端末装置。
【請求項３】
空調空間に含まれる空気質は、複数の種類があって、
前記第１仮想空間画像が空気質の種類ごとに異なることを特徴とする請求項１または２に記載の端末装置。
【請求項４】
複数の種類の空気質のうちから選択された空気質に対応した第１仮想空間画像を前記撮像画像が表示された表示画面に表示することを特徴とする請求項３に記載の端末装置。
【請求項５】
前記表示画面に対する前記第１仮想空間画像の割合が、空調空間に含まれる空気質の量に基づいて決まることを特徴とする請求項１〜４のいずれかに記載の端末装置。
【請求項６】
前記表示画面に対する前記第１仮想空間画像の割合が、空調空間に含まれる空気質の量の変化に伴って増減することを特徴とする請求項５に記載の端末装置。
【請求項７】
前記第１仮想空間画像が前記表示画面内を移動することを特徴とする請求項１〜６のいずれかに記載の端末装置。
【請求項８】
前記制御手段は、過去の所定時刻における前記第１仮想空間画像を、前記撮像画像が表示された表示画面に表示することを特徴とする請求項１〜７のいずれかに記載の端末装置。
【請求項９】
前記制御手段は、過去の所定時刻を選択可能な時刻選択部を、前記撮像画像が表示された表示画面に表示するとともに、
前記表示画面の前記時刻選択部に触れることによって過去の所定時刻が選択されたときに、その過去の所定時刻における前記第１仮想空間画像を表示することを特徴とする請求項８に記載の端末装置。
【請求項１０】
前記制御手段は、過去の所定時刻から現在までの前記第１仮想空間画像の変化を、前記撮像画像が表示された表示画面に表示することを特徴とする請求項８または９に記載の端末装置。
【請求項１１】
前記制御手段は、空気質の量が所定範囲内となるのに必要な空気調和機の運転時間を、前記撮像画像が表示された表示画面に表示することを特徴とする請求項１〜１０のいずれかに記載の端末装置。
【請求項１２】
前記撮像画像が空気調和機を含む場合において、
前記制御手段は、空気調和機の吸込口から吸い込まれる風を、第２仮想空間画像として、前記撮影画像が表示された表示画面に表示することを特徴とする請求項１〜１１のいずれかに記載の端末装置。
【請求項１３】
前記第２仮想空間画像の色または色の濃さが、空調空間に含まれる空気質の量に基づいて変化することを特徴とする請求項１２に記載の端末装置。
【請求項１４】
前記第２仮想空間画像の長さが、空気調和機の風量に基づいて変化することを特徴とする請求項１２または１３に記載の端末装置。
【請求項１５】
前記第２仮想空間画像が風の吸い込み流れを示すように変化するとともに、その変化の速度が、空気調和機の風量に基づいて増減することを特徴とする請求項１２〜１４のいずれかに記載の端末装置。
【請求項１６】
前記第２仮想空間画像が風の吸い込み流れを示すように変化するとともに、前記第１仮想空間画像が前記第２仮想空間画像とともに空気調和機の吸込口に吸い込まれるように変化することを特徴とする請求項１２〜１５のいずれかに記載の端末装置。
【請求項１７】
前記制御手段は、空気調和機の吹出口から吹き出される風を、第３仮想空間画像として、前記撮影画像が表示された表示画面に表示することが可能であって、
前記第２仮想空間画像の色または色の濃さと、前記第３仮想空間画像の色または色の濃さとが異なる場合があることを特徴とする請求項１２〜１６のいずれかに記載の端末装置。
【請求項１８】
請求項１〜１７のいずれかに記載の端末装置と、
前記端末装置に対して空気質情報を含む各種情報を供給する空気調和機とを備えることを特徴とする空調ユニット。
【発明の詳細な説明】
【技術分野】
【０００１】
本発明は、例えば空気調和機から情報を取得する端末装置、およびそれを備えた空調ユニットに関する。
【背景技術】
【０００２】
従来の空気調和機（空気清浄機）としては、例えば、水分（湿度）、ホコリ、ニオイなどの空調空間に含まれる空気質を検出する検出センサを備え、検出センサで検出された空気質の検出結果を空気調和機本体に表示するものが多く知られている。このような空気調和機では、目に見えない空気質の状態や改善効果をユーザに知らせることができる。
【先行技術文献】
【特許文献】
【０００３】
【特許文献１】特開２０１２−１０２８９９号公報
【発明の概要】
【発明が解決しようとする課題】
【０００４】
上記の空気調和機では、一般的にＬＥＤランプなどを用いて空気質の検出結果を表示している。例えば、空気質の検出量に基づいてＬＥＤランプの色を変える、あるいはランプを点滅させるなどして、空気質の状態をユーザに知らせている。しかし、ＬＥＤランプなどを用いて空気質の検出結果を表示する場合、表示の自由度に限りがあり、空調空間に含まれる空気質の状態をユーザが把握しにくい問題がある。
【０００５】
そこで、本発明の目的は、空調空間に含まれる空気質の状態を容易に把握できる端末装置およびそれを備えた空調ユニットを提供することである。
【課題を解決するための手段】
【０００６】
第１の発明にかかる端末装置は、空気調和を行う対象となる空調空間を撮像する撮像手段と、前記撮像手段で撮像された撮像画像を表示する表示画面と、前記表示画面に表示される表示内容を制御する制御手段とを備え、前記制御手段は、空調空間に含まれる空気質に対応した１または複数の第１仮想空間画像を前記撮像画像が表示された表示画面に表示することを特徴とする。
【０００７】
この端末装置では、空調空間に含まれる空気質が仮想空間画像として可視化されるとともに、可視化された空気質が撮像手段で撮像された撮像画像に重ねて表示されるので、ユーザが空調空間に含まれる空気質の状態を直感的に感じ取ることができる。したがって、空調空間に含まれる空気質の状態を容易に把握できる。
【０００８】
第２の発明にかかる端末装置では、第１の発明にかかる端末装置において、空気調和機との間において空気質情報を含む各種情報の通信を行う通信手段を備え、前記制御手段は、前記通信手段によって空気調和機から取得した空気質情報に基づいて、前記第１仮想空間画像を前記撮像画像が表示された表示画面に表示することを特徴とする。
【０００９】
この端末装置では、空調空間に含まれる空気質を仮想空間画像として可視化するために必要な空気質情報を空気調和機から取得しているので、端末装置が空気質情報を取得する必要がない。
【００１０】
第３の発明にかかる端末装置では、第１または第２の発明にかかる端末装置において、空調空間に含まれる空気質は、複数の種類があって、前記第１仮想空間画像が空気質の種類ごとに異なることを特徴とする。
【００１１】
この端末装置では、空気質に対応した仮想空間画像（空気質画像）が空気質の種類（成分）ごと（例えば、水分、ホコリ、ニオイなど）に異なるので、空気質の種類ごとの空気質の状態を容易に把握できる。
【００１２】
第４の発明にかかる端末装置では、第３の発明にかかる端末装置において、複数の種類の空気質のうちから選択された空気質に対応した第１仮想空間画像を、前記撮像画像が表示された表示画面に表示することを特徴とする。
【００１３】
この端末装置では、複数の種類の空気質のうちユーザが選択した空気質に対応した仮想空間画像が空調空間の撮像画像上に表示されるので、複数の種類の空気質のうちからユーザが知りたい空気質の状態を容易に把握できる。
【００１４】
第５の発明にかかる端末装置では、第１〜第４のいずれかの発明にかかる端末装置において、前記表示画面に対する前記第１仮想空間画像の割合が、空調空間に含まれる空気質の量に基づいて決まることを特徴とする。
【００１５】
この端末装置では、表示画面に対する空気質画像の割合が、空調空間に含まれる空気質の量に基づいて決まるので、例えば空調空間がきれいであるか否か、空調空間の湿度が適正か否かなど、空調空間に含まれる空気質の状態を容易に把握できる。
【００１６】
第６の発明にかかる端末装置では、第５の発明にかかる端末装置において、前記表示画面に対する前記第１仮想空間画像の割合が、空調空間に含まれる空気質の量の変化に伴って増減することを特徴とする。
【００１７】
この端末装置では、表示画面に対する空気質画像の割合が、空調空間に含まれる空気質の量に伴って増減するので、例えば空気質の改善効果など空調空間に含まれる空気質の状態の変化を把握しやすい。
【００１８】
第７の発明にかかる端末装置では、第１〜第６のいずれかの発明にかかる端末装置において、前記第１仮想空間画像が前記表示画面内を移動することを特徴とする。
【００１９】
この端末装置では、空気質に対応した仮想空間画像が表示画面内を移動するので、空気質が実空間内を漂っているように見える。したがって、空気質に対応した仮想空間画像の現実感が増し、ユーザが親しみをもって空調空間に含まれる空気質の状態を理解できる。
【００２０】
第８の発明にかかる端末装置では、第１〜第７のいずれかの発明にかかる端末装置において、前記制御手段は、過去の所定時刻における前記第１仮想空間画像を、前記撮像画像が表示された表示画面に表示することを特徴とする。
【００２１】
この端末装置では、過去の所定時刻における空気質に対応した仮想空間画像が、空調空間の撮像画像上に重ねて表示されるので、現在の空気質の状態と過去の所定時刻の空気質の状態とを見比べることができる。したがって、空調空間に含まれる空気質の改善効果を感じやすい。
【００２２】
第９の発明にかかる端末装置では、第８の発明にかかる端末装置において、前記制御手段は、過去の所定時刻を選択可能な時刻選択部を、前記撮像画像が表示された表示画面に表示するとともに、前記表示画面の前記時刻選択部に触れることによって過去の所定時刻が選択されたときに、その過去の所定時刻における前記第１仮想空間画像を表示することを特徴とする。
【００２３】
この端末装置では、ユーザが表示画面内の時刻選択部を操作することによって過去の所定時刻を選択できるとともに、選択された時刻における空気質に対応した仮想空間画像が表示画面に表示されるので、過去の所定時刻における空気質の状態を確認できる。
【００２４】
第１０の発明にかかる端末装置では、第８または第９の発明にかかる端末装置において、前記制御手段は、過去の所定時刻から現在までの前記第１仮想空間画像の変化を、前記撮像画像が表示された表示画面に表示することを特徴とする。
【００２５】
この端末装置では、過去の所定時刻から現在までの空気質の状態の変化を動画として見ることができるので、空調空間に含まれる空気質の経過時間に対応した改善効果をより感じやすい。
【００２６】
第１１の発明にかかる端末装置では、第１〜第１０のいずれかの発明にかかる端末装置において、前記制御手段は、空気質の量が所定範囲内となるのに必要な空気調和機の運転時間を、前記撮像画像が表示された表示画面に表示することを特徴とする。
【００２７】
この端末装置では、空調空間に含まれる空気質の量が所定範囲内となるのに必要な空気調和機の運転時間が表示画面に表示されるので、空調空間に含まれる空気質の量が所定範囲内となるのに必要な空気調和機の運転時間を把握できる。
【００２８】
第１２の発明にかかる端末装置では、第１〜第１１のいずれかの発明にかかる端末装置において、前記撮像画像が空気調和機を含む場合において、前記制御手段は、空気調和機の吸込口から吸い込まれる風を、第２仮想空間画像として、前記撮影画像が表示された表示画面に表示することを特徴とする。
【００２９】
この端末装置では、空気調和機の吸込口から吸い込まれる風が、仮想空間画像として空調空間の撮像画像上に重ねて表示されるので、空気調和機が運転している様子が分かる。したがって、仮想空間画像の現実感が増し、ユーザが一目で状態を理解しやすく親しみやすい。
【００３０】
第１３の発明にかかる端末装置では、第１２の発明にかかる端末装置において、前記第２仮想空間画像の色または色の濃さが、空調空間に含まれる空気質の量に基づいて変化することを特徴とする。
【００３１】
この端末装置では、空気調和機の吸込口から吸い込まれる風に対応した仮想空間画像の色または色の濃さが、空調空間に含まれる空気質の量に基づいて変化するので、例えば空気質の改善効果など空調空間に含まれる空気質の状態の変化を把握しやすい。
【００３２】
第１４の発明にかかる端末装置では、第１２または第１３の発明にかかる端末装置において、前記第２仮想空間画像の長さが、空気調和機の風量に基づいて変化することを特徴とする。
【００３３】
この端末装置では、空気調和機の吸込口から吸い込まれる風に対応した仮想空間画像の長さが空気調和機の風量に基づいて変化するので、空気調和機の風量を把握しやすい。
【００３４】
第１５の発明にかかる端末装置では、第１２〜第１４のいずれかの発明にかかる端末装置において、前記第２仮想空間画像が風の吸い込み流れを示すように変化するとともに、その変化の速度が、空気調和機の風量に基づいて増減することを特徴とする。
【００３５】
この端末装置では、空気調和機の吸込口から吸い込まれる風に対応した仮想空間画像が風の吸い込み流れを示すように変化するとともに、その変化の速度が、空気調和機の風量に基づいて増減するので、空気調和機の風量を把握しやすい。
【００３６】
第１６の発明にかかる端末装置では、第１２〜第１５のいずれかの発明にかかる端末装置において、前記第２仮想空間画像が風の吸い込み流れを示すように変化するとともに、前記第１仮想空間画像が前記第２仮想空間画像とともに空気調和機の吸込口に吸い込まれるように変化することを特徴とする。
【００３７】
この端末装置では、空気質に対応した仮想空間画像が空気調和機の吸込口から吸い込まれる風に対応した仮想空間画像とともに空気調和機の吸込口に吸い込まれるように変化するので、空調空間に含まれる空気質の改善速度や改善効果を実感でき、空気質の状態を把握しやすい。
【００３８】
第１７の発明にかかる端末装置では、第１２〜第１６のいずれかの発明にかかる端末装置において、前記制御手段は、空気調和機の吹出口から吹き出される風を、第３仮想空間画像として、前記撮影画像が表示された表示画面に表示することが可能であって、前記第２仮想空間画像の色または色の濃さと、前記第３仮想空間画像の色または色の濃さとが異なる場合があることを特徴とする。
【００３９】
この端末装置では、例えば、空気調和の対象となる空調空間が汚れている場合には、空気調和機の吸込口から空気調和前の汚い空気が吸い込まれ、空気調和機の吹出口から空気調和後のきれいな空気が吹き出される様子が示されるので、空調空間に含まれる空気質の改善効果を感じやすい。
【００４０】
第１８の発明にかかる空調ユニットでは、請求項１〜１７のいずれかに記載の端末装置と、前記端末装置に対して空気質情報を含む各種情報を供給する空気調和機とを備えることを特徴とする。
【００４１】
この空調ユニットでは、上記の端末装置と、端末装置に対して空気質情報を含む各種情報を供給する空気調和機とを備えるので、空調空間に含まれる空気質の状態を容易に把握できる空調ユニットを提供できる。
【発明の効果】
【００４２】
以上の説明に述べたように、本発明によれば、以下の効果が得られる。
【００４３】
第１の発明では、空調空間に含まれる空気質が仮想空間画像として可視化されるとともに、可視化された空気質が撮像手段で撮像された撮像画像に重ねて表示されるので、ユーザが空調空間に含まれる空気質の状態を直感的に感じ取ることができる。したがって、空調空間に含まれる空気質の状態を容易に把握できる。
【００４４】
第２の発明では、空調空間に含まれる空気質を仮想空間画像として可視化するために必要な空気質情報を空気調和機から取得しているので、端末装置が空気質情報を取得する必要がない。
【００４５】
第３の発明では、空気質に対応した仮想空間画像（空気質画像）が空気質の種類（成分）ごと（例えば、水分、ホコリ、ニオイなど）に異なるので、空気質の種類ごとの空気質の状態を容易に把握できる。
【００４６】
第４の発明では、複数の種類の空気質のうちユーザが選択した空気質に対応した仮想空間画像が空調空間の撮像画像上に表示されるので、複数の種類の空気質のうちからユーザが知りたい空気質の状態を容易に把握できる。
【００４７】
第５の発明では、表示画面に対する空気質画像の割合が、空調空間に含まれる空気質の量に基づいて決まるので、例えば空調空間がきれいであるか否か、空調空間の湿度が適正か否かなど、空調空間に含まれる空気質の状態を容易に把握できる。
【００４８】
第６の発明では、表示画面に対する空気質画像の割合が、空調空間に含まれる空気質の量に伴って増減するので、例えば空気質の改善効果など空調空間に含まれる空気質の状態の変化を把握しやすい。
【００４９】
第７の発明では、空気質に対応した仮想空間画像が表示画面内を移動するので、空気質が実空間内を漂っているように見える。したがって、空気質に対応した仮想空間画像の現実感が増し、ユーザが親しみをもって空調空間に含まれる空気質の状態を理解できる。
【００５０】
第８の発明では、過去の所定時刻における空気質に対応した仮想空間画像が、空調空間の撮像画像上に重ねて表示されるので、現在の空気質の状態と過去の所定時刻の空気質の状態とを見比べることができる。したがって、空調空間に含まれる空気質の改善効果を感じやすい。
【００５１】
第９の発明では、ユーザが表示画面内の時刻選択部を操作することによって過去の所定時刻を選択できるとともに、選択された時刻における空気質に対応した仮想空間画像が表示画面に表示されるので、過去の所定時刻における空気質の状態を確認できる。
【００５２】
第１０の発明では、過去の所定時刻から現在までの空気質の状態の変化を動画として見ることができるので、空調空間に含まれる空気質の経過時間に対応した改善効果をより感じやすい。
【００５３】
第１１の発明では、空調空間に含まれる空気質の量が所定範囲内となるのに必要な空気調和機の運転時間が表示画面に表示されるので、空調空間に含まれる空気質の量が所定範囲内となるのに必要な空気調和機の運転時間を把握できる。
【００５４】
第１２の発明では、空気調和機の吸込口から吸い込まれる風が、仮想空間画像として空調空間の撮像画像上に重ねて表示されるので、空気調和機が運転している様子が分かる。したがって、仮想空間画像の現実感が増し、ユーザが一目で状態を理解しやすく親しみやすい。
【００５５】
第１３の発明では、空気調和機の吸込口から吸い込まれる風に対応した仮想空間画像の色または色の濃さが、空調空間に含まれる空気質の量に基づいて変化するので、例えば空気質の改善効果など空調空間に含まれる空気質の状態の変化を把握しやすい。
【００５６】
第１４の発明では、空気調和機の吸込口から吸い込まれる風に対応した仮想空間画像の長さが空気調和機の風量に基づいて変化するので、空気調和機の風量を把握しやすい。
【００５７】
第１５の発明では、空気調和機の吸込口から吸い込まれる風に対応した仮想空間画像が風の吸い込み流れを示すように変化するとともに、その変化の速度が、空気調和機の風量に基づいて増減するので、空気調和機の風量を把握しやすい。
【００５８】
第１６の発明では、空気質に対応した仮想空間画像が空気調和機の吸込口から吸い込まれる風に対応した仮想空間画像とともに空気調和機の吸込口に吸い込まれるように変化するので、空調空間に含まれる空気質の改善速度や改善効果を実感でき、空気質の状態を把握しやすい。
【００５９】
第１７の発明では、例えば、空気調和の対象となる空調空間が汚れている場合には、空気調和機の吸込口から空気調和前の汚い空気が吸い込まれ、空気調和機の吹出口から空気調和後のきれいな空気が吹き出される様子が示されるので、空調空間に含まれる空気質の改善効果を感じやすい。
【００６０】
第１８の発明では、上記の端末装置と、端末装置に対して空気質情報を含む各種情報を供給する空気調和機とを備えるので、空調空間に含まれる空気質の状態を容易に把握できる空調ユニットを提供できる。
【図面の簡単な説明】
【００６１】
【図１】本発明の実施形態に係る端末装置および空気調和機を備えた空調ユニットを示す図である。
【図２】（ａ）は、空気調和機の斜視図であり、（ｂ）は、空気調和機の断面図である。
【図３】空気調和を行う対象となる空調空間を示す図である。
【図４】空調空間の撮像画像が表示された表示画面を示す図である。
【図５】空気質画像が移動する様子を説明する図である。
【図６】空気質画像の数が空調空間に含まれる空気質の量の減少に伴って減少する様子を説明する図である。
【図７】空気質画像が吸込風画像とともに空気調和機の吸込口に吸い込まれるように変化する様子を説明する図である。
【図８】過去の所定時刻を選択する操作を説明する図である。
【図９】過去の所望の時刻を選択する操作を説明する図である。
【図１０】過去の所定時刻から現在までの空気質画像の変化を表示するための操作を説明する図である。
【図１１】空気質の量が所定範囲内となるのに必要な空気調和機の運転時間が表示された表示画面を示す図である。
【図１２】表示画面に表示される空気質の切り換え操作を説明する図である。
【図１３】本発明の第１変形例に係る表示画面を示す図であって、空気質画像の面積が空調空間に含まれる空気質の量の減少に伴って減少する様子を説明する図である。
【図１４】本発明の第２変形例に係る表示画面を示す図であって、吸込風画像および吹出風画像の長さが空気調和機の風量に基づいて増減する様子を説明する図である。
【発明を実施するための形態】
【００６２】
以下、図面を参照しつつ本発明に係る空調ユニット１の実施の形態について説明する。
【００６３】
［空調ユニット１の全体構成］
図１に示すように、本実施形態の空調ユニット１は、室内に配置される空気清浄機２（空気調和機）と、空気清浄機２との間で情報の通信を行う端末装置３とを備えている。
【００６４】
＜空気清浄機２の構成＞
空気清浄機２は、図２に示すように、前面下部および左右両側面に室内空気の吸込口１１を有し、上面の背面側に室内空気の吹出口１２を有している。空気清浄機２内には、吸込口１１から吹出口１２に向かって空気流路が形成される。この空気流路には、上流側からフィルタ部１３、除湿ユニット１４、送風ファン１５が配置されている。フィルタ部１３は、空気中に含まれるホコリ、花粉、ニオイなどを除去する。除湿ユニット１４は、空気から水分を除去して室内を除湿する。送風ファン１５が回転すると、吸込口１１から室内空気が空気清浄機２内に吸い込まれる。空気清浄機２内に吸い込まれた室内空気は、フィルタ部１３でホコリ、花粉、ニオイなどが除去されて清浄され、除湿ユニット１４で除湿される。そして、清浄および除湿された室内空気が吹出口１２から空気清浄機２外に吹き出される。
【００６５】
空気清浄機２は、室内（空調空間６０）の湿度を検出する湿度センサ２１と、空調空間６０に含まれるホコリ量を検出するホコリセンサ２２と、空調空間６０に含まれる花粉量を検出する花粉センサ２３と、空調空間６０に含まれるニオイ量（ニオイ強度）を検出するニオイセンサ２４とを有している。これら各センサ２１〜２４は、後述する本体制御部３０に接続されている。
【００６６】
空気清浄機２は、除湿ユニット１４や送風ファン１５を制御する本体制御部３０を有している。本体制御部３０は、記憶部３１と、計算部３２と、情報の通信を行う通信部３３とに接続されている。
【００６７】
記憶部３１は、例えば空気清浄機２の運転についての情報（運転情報）や時間情報を記憶するものである。したがって、本体制御部３０は、記憶部３１に記憶された情報に基づいて、除湿ユニット１４の運転または停止、空気清浄機２の風量（送風ファン１５の回転数）などを制御する。また、この記憶部３１は、例えば空調空間６０に含まれる空気質についての情報（空気質情報）や、計算部３２で計算された空気清浄機２の運転時間についての情報などを記憶する。空気質とは、本実施形態では、空調空間６０に含まれる水分、ホコリ、花粉、ニオイを指す。また、空気質情報とは、本実施形態では、各センサ２１〜２４で検出された湿度（水分量）、ホコリ量、花粉量、ニオイ量を指す。なお、本体制御部３０は、運転情報および空気質情報を例えば一定間隔毎（例えば運転情報および空気質情報が更新される度）に取得して、記憶部３１に記憶する。
【００６８】
計算部３２は、空気質の量が所定範囲内となるのに必要な空気清浄機２の運転時間（必要運転時間）を計算するものである。具体的には、ホコリ量、花粉量、およびニオイ量が現在の状態から「きれい」の状態（所定の閾値以下の状態）になるまでに必要な空気清浄機２の運転時間を、空調空間６０の大きさ及び空気清浄機２の風量に基づいて計算する。また、除湿ユニット１４が運転している場合は、ホコリ量、花粉量およびニオイ量が、現在の状態から「きれい」の状態となって、かつ湿度が例えばユーザが設定した湿度以下となるのに必要な空気清浄機２の運転時間を、空調空間６０の大きさ及び空気清浄機２の風量に基づいて計算する。
【００６９】
通信部３３は、空気清浄機２から外部に対して情報を供給するとともに、端末装置３から供給された情報を受けることができる。通信部３３は、例えば無線LAN、ZigBee、bluetooth、光通信などであってよい。したがって、本体制御部３０は、記憶部３１に記憶された情報を外部に対して通信したり、端末装置３から供給された情報を記憶部３１に記憶したりする。
【００７０】
＜端末装置３の構成＞
端末装置３は、例えばスマートフォンなどのカメラ付き液晶端末であって、撮像部５０（撮像手段）と、表示画面５２とを有している。端末装置３では、表示画面５２が端末装置３の一面に配置されており、その反対側の面に、撮像部５０が配置されている。そして、端末装置３は、撮像部５０および表示画面５２を制御する制御部５３（制御手段）を有している。制御部５３は、記憶部５４と、画像作成部５５と、操作検知部５６と、情報の通信を行う通信部５７（通信手段）とに接続されている。
【００７１】
記憶部５４は、例えば撮像部５０によって撮像された撮像画像、空気清浄機２の運転情報、空調空間６０に含まれる空気質についての情報、空気質の量が所定範囲内となるのに必要な空気清浄機２の運転時間についての情報などを記憶するものである。画像作成部５５は、空気清浄機２から取得した各種情報（例えば、空気清浄機２の風量情報や、空調空間６０に含まれる空気質についての情報）に基づいて、その情報に対応した１または複数の仮想空間画像を作成する。この画像作成部５５は、例えば一定間隔ごと（例えば、端末装置３が空気清浄機２から新たな空気質情報を取得する毎）に、その空気質情報に対応した１または複数の仮想空間画像を作成する。もしくは、ユーザが表示画面５２に触れることにより仮想空間画像作成の指示をした時に、記憶部５４から指示された内容の情報を得て、その情報に対応した１または複数の仮想空間画像を作成する。
【００７２】
操作検知部５６は、ユーザが表示画面５２に触れて、表示画面切換部７０、時刻選択部７１、７４、メニュー選択部７７が操作された場合に、その操作を検知する。通信部５７は、空気清浄機２から端末装置３に対して情報を供給するとともに、端末装置３から供給された情報を受けることができる。したがって、制御部５３は、記憶部５４に記憶された撮像画像を表示画面５２に表示したり、記憶部５４に記憶された仮想空間画像を表示画面５２に表示する。また、制御部５３は、記憶部５４に記憶された情報を端末装置３に対して通信したり、端末装置３から供給された情報を記憶部５４に記憶したりする。
【００７３】
＜表示画面５２に表示される表示内容＞
空気清浄機２は、図３に示すように、空気調和を行う対象となる空調空間６０の床面に配置される。端末装置３において、ソフトを起動し、カメラ表示の設定モードにすることによって空調空間６０を撮像できる状態になる。そして、端末装置３によって空調空間６０を撮像した場合には、その撮像された画像（撮像画像）が表示画面５２に表示される。図４は、撮像画像が表示画面５２に表示された端末装置３の例を示している。図４（ａ）、（ｂ）では、それぞれ、ユーザが図３に図示された位置Ｔ１、Ｔ２にいるときに、端末装置３を空気清浄機２に向けて空調空間６０を撮像した場合を示している。このように、端末装置３では、撮像部５０を空気清浄機２に向けると、撮像部５０が捕らえた空気清浄機２の傾きと大きさから、端末装置３と空気清浄機２との距離と位置関係を計算し割り出して、撮像画像を表示画面５２に表示する。また、図４（ｃ）では、ユーザが図３に図示された位置Ｔ３にいるときに、端末装置３を空気清浄機２に向けないで空調空間６０を撮像した場合を示している。そのため、図４（ｃ）では、撮像画像が空気清浄機２を含んでいない。
【００７４】
図４に示すように、表示画面５２には、撮像画像が表示されるとともに、空調空間６０に含まれる空気質に対応した仮想空間画像（第１仮想空間画像）が表示される。空調空間６０に含まれる空気質に対応した仮想空間画像（以下、空気質画像とも称する）は、空気清浄機２から取得した空気質情報に基づいたものであって、空調空間６０に含まれる空気質（水分、ホコリ、花粉、ニオイ）の状態を示すものである。このように、表示画面５２に表示された仮想空間画像が、空調空間６０に含まれる空気質の状態を表しているので、ユーザは、表示画面５２に表示された仮想空間画像によって、空気清浄機２の状態を把握することができる。
【００７５】
図４に示すように、表示画面５２には、表示画面切換部７０およびメニュー選択部７７が表示される。表示画面切換部７０は、表示画面５２に表示される表示内容を切り換えるものである。表示画面切換部７０を一度選択すると、詳細は後述するが、図８（ｂ）に示すように、第１の時刻選択部７１が表示される。また、第１の時刻選択部７１が表示された状態で表示画面切換部７０を再度選択すると、詳細は後述するが、図９（ｂ）に示すように、第２の時刻選択部７４が表示される。なお、第２の時刻選択部７４が表示された状態で表示画面切換部７０を再度選択すると、時刻選択部７１、７４が表示されない元の状態（図４の状態）に戻る。メニュー選択部７７は、表示画面５２に表示される表示内容を切り換えるための複数の項目を表示するものである。メニュー選択部７７を一度選択すると、詳細は後述するが、図１０（ｂ）に示すように、動画表示７８、必要時間表示７９を含む複数の項目が表示画面５２内に表示される。また、メニュー選択部７７を再度選択すると、これら複数の項目が閉じる。
【００７６】
図４（ａ）、（ｂ）に示すように、表示画面５２に表示された撮像画像に空気清浄機２の吸込口１１および吹出口１２が含まれている場合には、空気清浄機２の吸込口１１から吸い込まれる風に対応した仮想空間画像（第２仮想空間画像、図４〜図１３におけるハッチング部分）、および空気清浄機２の吹出口１２から吹き出される風に対応した仮想空間画像（第３仮想空間画像、図４〜図１３におけるドット部分）が表示される。空気清浄機２の吸込口１１から吸い込まれる風に対応した仮想空間画像（以下、吸込風画像とも称する）および空気清浄機２の吹出口１２から吹き出される風に対応した仮想空間画像（以下、吹出風画像とも称する）は、それぞれ空気清浄機２から取得した風量情報に基づいたものであって、空気清浄機２の吸込口１１から吸い込まれる風、および空気清浄機２の吹出口１２から吹き出される風の風量の状態を示すものである。なお、吸込風画像に付されたハッチングと、吹出風画像に付されたドットは、説明の便宜上、吸込風画像と吹出風画像とを区別するためのものであって、実際の仮想空間画像には、ハッチングやドットは付されていない。但し、ハッチングやドットが付されていてもよい。
【００７７】
＜仮想空間画像の詳細＞
本実施形態において、端末装置３によって、空調空間６０に含まれる空気質についての情報や、空気清浄機２の運転情報などを表示画面５２に表示するための操作手順について説明する。まず、端末装置３をカメラ表示の設定モードにして空調空間６０を撮像する。すると、撮像画像が表示画面５２に表示される。また、空気清浄機２の記憶部３１に記憶された空気質情報、および運転情報が端末装置３に供給される。端末装置３では、空気清浄機２から空気質情報および運転情報を取得すると、その空気質情報および運転情報に基づいて、ＡＲ（拡張現実）の技術により仮想空間画像を作成して、端末装置３の表示画面５２に表示する。このとき、空調空間６０に含まれる空気質に対応した仮想空間画像（第１仮想空間画像）と、空気清浄機２の吸込口１１から吸い込まれる風に対応した仮想空間画像（第２仮想空間画像）と、空気清浄機２の吹出口１２から吹き出される風に対応した仮想空間画像（第３仮想空間画像）とが、空調空間６０の撮像画像上に重ねて表示される。
【００７８】
＜空気質に対応した仮想空間画像＞
具体的には、図４に示すように、空調空間６０に含まれる空気質が、複数の空気質画像として表示画面５２内に表示される。複数の空気質画像は、図４に示すように、例えば表示画面５２内に散らばるように表示される。この空気質画像は、空気質の種類（成分）ごとにそれぞれ形状が異なり、具体的には４つの画像（水分画像６１、ホコリ画像６２、花粉画像６３、ニオイ画像６４）からなる。水分画像６１は、空気清浄機２から取得した湿度情報に基づいて作成される仮想空間画像であって、空調空間６０に含まれる水分に対応する。ホコリ画像６２は、空気清浄機２から取得したホコリ量情報に基づいて作成される仮想空間画像であって、空調空間６０に含まれるホコリに対応する。花粉画像６３は、空気清浄機２から取得した花粉量情報に基づいて作成される仮想空間画像であって、空調空間６０に含まれる花粉に対応する。ニオイ画像６４は、空気清浄機２から取得したニオイ量情報に基づいて作成される仮想空間画像であって、空調空間６０に含まれるニオイに対応する。
【００７９】
表示画面５２に対する各空気質画像６１〜６４のそれぞれの割合は、各空気質画像６１〜６４に対応する各空気質の量に基づいて決まっている。具体的には、各空気質の量は、各空気質画像６１〜６４の数で表されており、空調空間６０に含まれる空気質の量が少ないと、その空気質に対応した空気質画像の数が少なく表示される（０個を含む）。また、空調空間６０に含まれる空気質の量が多いと、その空気質に対応した空気質画像の数が多く表示される。各空気質画像６１〜６４は、例えば０〜１０個の範囲内で表示される。例えば図４では、水分画像６１が４個、ホコリ画像６２が２個、花粉画像６３が３個、ニオイ画像６４が７個である。したがって、図４では、空調空間６０に含まれるホコリ量や花粉量が少なく、空調空間６０に含まれるニオイ量が多いことを示している。また、空調空間６０に含まれる湿度がやや低いことを示している。
【００８０】
各空気質画像６１〜６４は、時間の経過に伴って表示画面５２内を自由に移動する。例えば図５に示すように、ユーザが空調空間６０の撮像を開始した時と、撮像を開始してから所定時間が経過した時とでは、各空気質画像６１〜６４の位置が異なる。
【００８１】
各空気質画像６１〜６４は、空気質が表示画面５２内から枠外に移動したことを示すように変化することがある。すなわち、表示画面５２の外枠に接した空気質画像が、枠外に移動するように徐々に消える場合がある。また、各空気質画像６１〜６４は、空気質が枠外から表示画面５２内に移動したことを示すように変化することがある。すなわち、空気質画像が表示画面５２の枠外から移動してきたように表示画面５２の外枠から徐々に表われる場合がある。
【００８２】
各空気質画像６１〜６４は、図７に示すように、空気清浄機２の吸込口１１から吸い込まれる風に対応した仮想空間画像（吸込風画像）が風の吸い込み流れを示すように変化するのに伴って、空気清浄機２の吸込口１１に吸い込まれるように変化することがある。この場合、図７に示すように、例えば空気清浄機２の吸込口１１付近、あるいは吸込風画像の画像上または周辺に表示されている空気質画像６５が、空気清浄機２の吸込口１１に吸い込まれるように変化する。
【００８３】
各空気質画像６１〜６４は、図７に示すように、空気清浄機２の吹出口１２から吹き出される風に対応した仮想空間画像（吹出風画像）が風の吹き出し流れを示すように変化するのに伴って、空気清浄機２の吹出口１２から離れる方向に変化することがある。この場合、図７に示すように、例えば空気清浄機２の吹出口１２付近、あるいは吹出風画像の画像上または周辺に表示されている空気質画像６６が、空気清浄機２の吹出口１２から離れる方向に変化する。
【００８４】
なお、図７においては、説明の便宜上、空気質画像の変化を矢印で示したり、変化前の空気質画像を鎖線で示したが、実際の仮想空間画像には、矢印や空気質画像が鎖線で示されることはない。但し、矢印があってもよいし、空気質画像が鎖線で示されることがあってもよい。
【００８５】
表示画面５２に対する各空気質画像６１〜６４のそれぞれの割合は、各空気質画像６１〜６４に対応する各空気質の量の変化に伴って増減する。具体的には、各空気質の量が減少するとその空気質に対応した空気質画像の数が減り、各空気質の量が増加するとその空気質に対応した空気質画像の数が増える。例えば図６に示すように、ユーザが空調空間６０の撮像を開始した時と、撮像を開始してから所定時間が経過した時とでは、各空気質画像６１〜６４の数が異なる。例えば図６では、水分画像６１が４個から３個に減少し、ホコリ画像６２が２個から１個に減少し、ニオイ画像６４が７個から３個に減少している。これは、空気清浄機２が所定時間運転されたことによって、水分量、ホコリ量、およびニオイ量がそれぞれ減少したことを示している。
【００８６】
各空気質画像６１〜６４は、例えば表示画面５２内においてパッと（急に）消えるように減少したり、表示画面５２内から枠外に移動したことを示すように変化することにより減少したり、吸込風画像の変化に伴って空気清浄機２の吸込口１１に吸い込まれるように変化することによって減少したりする。また、空気質画像６１〜６４は、例えば表示画面５２内において急に出現したり、枠外から表示画面５２内に移動したことを示すように変化することにより増加したりする。
【００８７】
＜風に対応した仮想空間画像＞
図４（ａ）、（ｂ）に示すように、撮像画像が空気清浄機２の吸込口１１および吹出口１２を含む場合において、空気清浄機２が運転している場合には、空気清浄機２の吸込口１１から吸い込まれる風が仮想空間画像として表示され、空気清浄機２の吹出口１２から吹き出される吹出風が仮想空間画像として表示される。
【００８８】
空気清浄機２の吸込口１１から吸い込まれる風に対応した仮想空間画像（吸込風画像）は、空気質の量にしたがって異なる色で表される。例えばホコリ量、花粉量、ニオイ量のいずれかが所定よりも高く、空調空間６０が汚れている場合は、赤色で風を表示する。また、ホコリ量、花粉量、ニオイ量の全てが所定よりも低く、空調空間６０がきれいである場合は、青色で風を表示する。一方、空気清浄機２の吹出口１２から吹き出される風に対応した仮想空間画像（吹出風画像）は、常に１つの色（例えば、青色）で表される。そのため、本実施形態では、吸込風画像の色と吹出風画像の色とが異なる場合がある。したがって、空調空間６０が汚れている場合には、空気清浄機２の吸込口１１から空気調和前の汚い空気が吸い込まれ、空気清浄機２の吹出口１２から空気調和後のきれいな空気が吹き出される様子が示される。
【００８９】
吸込風画像は、風の吸い込み流れを示すように変化する。具体的には、吸込風画像の領域（ハッチング部分）が、図７（ａ）〜（ｄ）に示すように、風の吸い込み流れを示すように徐々に小さくなった後、元に戻る変化を繰り返す。また、吹出風画像は、風の吹き出し流れを示すように変化する。具体的には、吹出風画像の領域（ドット部分）が、図７（ａ）〜（ｄ）に示すように、風の吹き出し流れを示すように徐々に大きくなった後、元に戻る変化を繰り返す。
【００９０】
また、吸込風画像および吹出風画像が、風の吸い込み流れおよび風の吹き出し流れを示すように変化するときのその変化の速さは、空気清浄機２の風量に基づいて増減する。空気清浄機２の風量（送風ファン１５の回転数）が大きくなると、その変化の速さが大きくなり、空気清浄機２の風量が小さくなると、その変化の速さは小さくなる。
【００９１】
次に、ユーザが表示画面に触れて行う操作方法について説明する。
【００９２】
＜時刻の変更操作＞
図８（ａ）では、空調空間６０に含まれる現在の空気質に対応した仮想空間画像が、空調空間６０の撮像画像上に重ねて表示されている。そして、ユーザが表示画面５２に触れて、表示画面切換部７０を一度選択すると、図８（ｂ）に示すように、表示画面５２内に第１の時刻選択部７１が表示される。第１の時刻選択部７１は、「運転前」と表示された運転開始前の特定時刻（過去の所定時刻）を選択可能な第１切換部７２と、「現在」と表示された現在時刻を選択可能な第２切換部７３とを有している。図８（ｃ）に示すように、ユーザが表示画面５２に触れて、「運転前」と表示された第１切換部７２を選択すると、空調空間６０に含まれる過去の所定時刻における空気質に対応した仮想空間画像が、空調空間６０の撮像画像上に表示される。具体的には、第１切換部７２が選択されると、記憶部５４に記憶された過去の所定時刻における空気質情報を制御部５３が読み出し、その過去の所定時刻における空気質情報に基づいて、画像作成部５５が過去の所定時刻における空気質に対応した仮想空間画像を作成する。そして、制御部５３が過去の所定時刻における空気質に対応した仮想空間画像を空調空間６０の撮像画像上に表示する。したがって、ユーザが現在の空気質に対応した仮想空間画像と、過去の所定時刻における空気質に対応した仮想空間画像とを見比べることができる。なお、その後、ユーザが表示画面５２に触れて、「現在」と表示された第２切換部７３を選択すると、現在の空気質に対応した仮想空間画像が表示された状態に戻る。
【００９３】
図９（ａ）では、表示画面切換部７０が一度選択されて、空調空間６０に含まれる現在の空気質に対応した仮想空間画像とともに、時刻選択部７１が表示されている。そして、ユーザが表示画面５２に触れて、表示画面切換部７０を再度選択すると、図９（ｂ）に示すように、表示画面５２内に第２の時刻選択部７４が表示される。第２の時刻選択部７４は、表示画面５２の幅方向に延びた時間軸コントロールバー７５と、時間軸コントロールバー７５上を移動するガイド部７６とを有している。時間軸コントロールバー７５の一端の上方には「運転前」と表示され、他端の上方には「現在」と表示されている。図９（ｃ）に示すように、ユーザが表示画面５２に触れて、ガイド部７６を左右にスクロールすることによって、ユーザが運転開始前の特定時刻（運転前）から現在までの間における所望の時刻を選択できるようになっている。所望の時刻が選択されると、ガイド部７６の上方にユーザが選択した時刻（図９（ｃ）では、「１５：３０」）が表示される。
【００９４】
ユーザが表示画面５２のガイド部７６を操作して、運転開始前の特定時刻（過去の所定時刻）から現在までの間における過去の所望の時刻を選択すると、選択された時刻における空気質に対応した仮想空間画像が、空調空間６０の撮像画像上に表示される（例えば図９（ｃ）では、「１５：３０」における空気質に対応した仮想空間画像が、空調空間６０の撮像画像上に表示される）。具体的には、ガイド部７６が操作されて過去の所望の時刻が選択されると、記憶部５４に記憶された当該時刻（選択された時刻）における空気質情報を制御部５３が読み出し、選択された時刻における空気質情報に基づいて、画像作成部５５が選択された時刻における空気質に対応した仮想空間画像を作成する。そして、制御部５３が、選択された時刻における空気質に対応した仮想空間画像を空調空間６０の撮像画像上に表示する。したがって、ユーザは、選択した過去の時刻における空気質の状態を確認できる。
【００９５】
また、ユーザが表示画面５２に触れて、ガイド部７６を例えば時間軸コントロールバー７５の一端（運転前側）から他端（現在側）までスクロールすると、運転開始前の特定時刻から現在までの空調空間６０に含まれる空気質に対応した仮想空間画像の変化が、空調空間６０の撮像画像上に表示される。したがって、ユーザは過去の所定時刻から現在までの空調空間に含まれる空気質の変化を見ることができる。
【００９６】
また、ユーザが表示画面５２に触れて、ガイド部７６を例えば時間軸コントロールバー７５の他端（現在側）から一端（運転前側）にスクロールすると、現在から運転開始前の特定時刻までの空調空間６０に含まれる空気質に対応した仮想空間画像の変化が、空調空間６０の撮像画像上に表示される。したがって、ユーザは空気質の変化を、時間を巻き戻しながら見ることができる。
【００９７】
図１０（ａ）では、空調空間６０に含まれる現在の空気質に対応した仮想空間画像が、空調空間６０の撮像画像上に重ねて表示されている。そして、ユーザが表示画面５２に触れて、メニュー選択部７７を一度選択すると、図１０（ｂ）に示すように、動画表示７８、必要時間表示７９を含む複数の項目が表示画面５２内に表示される。そして、ユーザが表示画面５２に触れて、動画表示７８を選択すると、運転開始前の特定時刻（運転前）から現在までの空調空間６０に含まれる空気質に対応した仮想空間画像の変化が動画として、空調空間６０の撮像画像上に表示される。具体的には、例えば室内機２ａの記憶部３１に記憶された運転開始前の特定時刻（運転前）から現在までの空気質情報を端末装置３が取得して、その空気質情報に基づいて画像作成部５５が各時間ごとの空気質に対応した仮想空間画像を作成する。そして、制御部５３が、仮想空間画像を時間が古いものから連続して空調空間６０の撮像画像上に表示する。動画が表示される際には、図１０（ｃ）に示すように、表示画面５２内に時間軸コントロールバー８０と、時間軸コントロールバー８０上を移動するガイド部８１とが表示される。したがって、ユーザがガイド部８１を操作することによって、動画の早送り、巻き戻し、停止、再生などを行うことができる。
【００９８】
＜必要運転時間の表示＞
また、図１０（ｂ）において、ユーザが表示画面５２に触れて、必要時間表示７９を選択すると、図１１に示すように、空気質の量が所定範囲内となるのに必要な空気清浄機２の運転時間を示す時間表示８２が、表示画面５２に表示される。例えば図１１では、空気質の量が所定範囲内となるのに必要な空気清浄機２の運転時間が２時間であることが表示されている。この必要運転時間は、制御部５３が、記憶部５４に記憶された必要運転時間を読み出して表示画面５２に表示することにより表示される。
【００９９】
＜表示される空気質の切り換え＞
図１２（ａ）では、各空気質それぞれに対応した各空気質画像６１〜６４が、空調空間６０の撮像画像上に重ねて表示されている。そして、ユーザが空気質を種類（成分）別に表示するための表示選択部（不図示）を選択すると、表示画面５２に表示される表示内容が切り換わり、ユーザが選択した任意の１つの空気質に対応した空気質画像が空調空間６０の撮像画像上に表示される。図１２（ｂ）では、例えば各空気質画像６１〜６４のうちニオイに対応したニオイ画像６４が、空調空間６０の撮像画像上に重ねて表示される場合を示している。この表示選択部（不図示）は、例えば表示画面５２内に表示されている。そして、この表示選択部をユーザが選択（タッチ）することで、各空気質それぞれに対応した各空気質画像６１〜６４の全てを表示する場合（全成分表示（図１２（ａ）参照））と、各空気質画像６１〜６４の任意の１つを表示する場合とを選択できる。したがって、ユーザは、複数の種類の空気質のうちからユーザが知りたい空気質の状態を容易に把握できる。
【０１００】
＜本実施形態の端末装置３および空調ユニット１の特徴＞
本実施形態の端末装置３および空調ユニット１には、以下の特徴がある。
【０１０１】
本実施形態の端末装置３では、図４に示すように、空調空間６０に含まれる空気質（水分、ホコリ、花粉、ニオイ）が仮想空間画像（水分画像６１、ホコリ画像６２、花粉画像６３、ニオイ画像６４）として可視化されるとともに、可視化された空気質が撮像部５０（撮像手段）で撮像された撮像画像に重ねて表示されるので、空調空間６０に含まれる空気質の状態を直感的に感じ取ることができる。したがって、空調空間６０に含まれる空気質の状態を容易に把握できる。
【０１０２】
また、本実施形態の端末装置３では、空調空間６０に含まれる空気質を仮想空間画像として可視化するために必要な空気質情報を空気清浄機２（空気調和機）から取得しているので、端末装置３が空気質情報を取得する必要がない。
【０１０３】
また、本実施形態の端末装置３では、空気質の種類（成分）ごとに空気質に対応した仮想空間画像が異なる。具体的には、図４に示すように、水分に対応した水分画像６１、ホコリに対応したホコリ画像６２、花粉に対応した花粉画像６３、ニオイに対応したニオイ画像６４の形状がそれぞれ異なる。したがって、空気質の種類（成分）ごとの空気質の状態を容易に把握できる。
【０１０４】
また、本実施形態の端末装置３では、図１２に示すように、複数の種類の空気質のうちユーザが選択した空気質に対応した仮想空間画像が空調空間６０の撮像画像上に表示されるので、複数の種類の空気質のうちからユーザが知りたい空気質の状態を容易に把握できる。 
【０１０５】
また、本実施形態の端末装置３では、表示画面５２に対する空気質画像の割合（具体的には、空気質画像の数）が、空調空間６０に含まれる空気質の量に基づいて決まるので、例えば空調空間６０がきれいであるか否か、空調空間６０の湿度が適正かなど、空調空間６０に含まれる空気質の状態を容易に把握できる。
【０１０６】
また、本実施形態の端末装置３では、図６に示すように、表示画面５２に対する空気質画像の割合（具体的には、空気質画像の数）が、空調空間６０に含まれる空気質の量に伴って増減するので、例えば空気質の改善効果など空調空間６０に含まれる空気質の状態の変化を把握しやすい。
【０１０７】
また、本実施形態の端末装置３では、図５に示すように、空気質に対応した仮想空間画像が表示画面５２内を移動するので、空気質が実空間内を漂っているように見える。したがって、空気質に対応した仮想空間画像の現実感が増し、ユーザが親しみやすい。
【０１０８】
また、本実施形態の端末装置３では、図８および図９に示すように、過去の所定時刻における空気質に対応した仮想空間画像が、空調空間６０の撮像画像上に重ねて表示されるので、現在の空気質の状態と過去の所定時刻の空気質の状態とを見比べることができる。したがって、空調空間６０に含まれる空気質の改善効果を感じやすい。
【０１０９】
また、本実施形態の端末装置３では、図８および図９に示すように、ユーザが表示画面５２内の時刻選択部７１、７４を操作することによって過去の所定時刻を選択できるとともに、選択された時刻における空気質に対応した仮想空間画像が表示画面５２に表示されるので、過去の所定時刻における空気質の状態を確認できる。
【０１１０】
また、本実施形態の端末装置３では、過去の所定時刻から現在までの空気質の状態の変化を動画として見ることができるので、空調空間６０に含まれる空気質の改善効果をより感じやすい。
【０１１１】
また、本実施形態の端末装置３では、図１１に示すように、空調空間６０に含まれる空気質の量が所定範囲内となるのに必要な空気清浄機２の運転時間が表示画面５２に表示されるので、空調空間６０に含まれる空気質の量が所定範囲内となるのに必要な空気清浄機２の運転時間を容易に把握できる。
【０１１２】
また、本実施形態の端末装置３では、図４に示すように、空気清浄機２の吸込口１１から吸い込まれる風が、仮想空間画像として空調空間６０の撮像画像上に重ねて表示されるので、空気清浄機２が運転している様子が分かる。したがって、仮想空間画像の現実感が増し、ユーザが一目で状態を理解しやすく親しみやすい。
【０１１３】
また、本実施形態の端末装置３では、空気清浄機２の吸込口１１から吸い込まれる風に対応した仮想空間画像の色が、空調空間６０に含まれる空気質の量に基づいて変化するので、例えば空気質の改善効果など空調空間６０に含まれる空気質の状態の変化を把握しやすい。
【０１１４】
また、本実施形態の端末装置３では、空気清浄機２の吸込口１１から吸い込まれる風に対応した仮想空間画像が風の吸い込み流れを示すように変化するとともに、その変化の速度が、空気清浄機２の風量に基づいて増減するので、空気清浄機２の風量を把握しやすい。
【０１１５】
また、本実施形態の端末装置３では、空気質に対応した仮想空間画像が、空気清浄機２の吸込口１１から吸い込まれる風に対応した仮想空間画像とともに、空気清浄機２の吸込口１１に吸い込まれるように変化するので、空調空間６０に含まれる空気質の改善速度や改善効果を実感でき、空気質の状態を把握しやすい。
【０１１６】
また、本実施形態の端末装置３では、例えば、空気調和の対象となる空調空間６０が汚れている場合には、空気清浄機２の吸込口１１から空気調和前の汚い空気が吸い込まれ、空気調和機の吹出口１２から空気調和後のきれいな空気が吹き出される様子を表すことができるので、空調空間６０に含まれる空気質の改善速度と改善効果を感じやすい。
【０１１７】
また、本実施形態の空調ユニット１では、上記の端末装置３と、端末装置３に対して情報を供給する空気清浄機２とを備えるので、空調空間６０に含まれる空気質の状態を容易に把握できる空調ユニット１を提供できる。
【０１１８】
［第１変形例］
図１３は、本実施形態の第１変形例を示している。本実施形態では、各空気質（水分、ホコリ、花粉、ニオイ）の量が減少するとその空気質に対応した空気質画像の数が減り、各空気質の量が増加するとその空気質に対応した空気質画像の数が増える。それにより、表示画面５２に対する空気質画像の割合が、空調空間６０に含まれる空気質の量の変化に伴って増減する。一方、第１変形例では、図１３に示すように、各空気質（水分、ホコリ、花粉、ニオイ）の量が減少するとその空気質に対応した空気質画像の面積が減少し、各空気質の量が増加するとその空気質に対応した空気質画像の面積が増加する。それにより、表示画面５２に対する空気質画像の割合が、空調空間６０に含まれる空気質の量の変化に伴って増減する。
【０１１９】
第１変形例に係る端末装置３では、表示画面５２に対する空気質画像の割合が、空調空間６０に含まれる空気質の量の変化に伴って増減する場合において、各空気質の数を数える必要がないので、空気質の状態を直感的に把握しやすい。
【０１２０】
［第２変形例］
図１４は、本実施形態の第２変形例を示している。本実施形態では、空気清浄機２の風量は、空気清浄機２の吸込口１１から吸い込まれる風に対応した仮想空間画像（吸込風画像）の変化の速さで表わされる。一方、第１変形例では、空気清浄機２の風量は、吸込風画像の範囲の長さで表される。具体的には、空気清浄機２の風量が大きくなるにつれて、吸込風画像の範囲の長さが長くなる。例えば図１４（ａ）では、空気清浄機２の風量が大きいので、吸込風画像の範囲の長さが長く、例えば図１４（ｂ）では、空気清浄機２の風量が小さいので、吸込風画像の範囲の長さが短い。なお、吸込風画像と同様に、吹出風画像の範囲の長さも空気清浄機２の風量が大きくなるにつれて長くなる。
【０１２１】
第２変形例に係る端末装置３では、空気清浄機２の吸込口１１から吸い込まれる風に対応した仮想空間画像の長さが、空気清浄機２の風量に基づいて変化するので、空気清浄機２の風量を把握しやすい。
【０１２２】
［第３変形例］
本実施形態では、空気清浄機２の吸込口１１から吸い込まれる風に対応した仮想空間画像の色が、空調空間６０に含まれる空気質の量に基づいて変化するのに対して、第３変形例では、空気清浄機２の吸込口１１から吸い込まれる風に対応した仮想空間画像の色の濃さが、空調空間６０に含まれる空気質の量に基づいて変化する。
【０１２３】
また、本実施形態では、空気清浄機２の吸込口１１から吸い込まれる風に対応した仮想空間画像の色と、空気清浄機２の吹出口１２から吹き出される風に対応した仮想空間画像の色とが異なる場合があるのに対して、空気清浄機２の吸込口１１から吸い込まれる風に対応した仮想空間画像の色の濃さと、空気清浄機２の吹出口１２から吹き出される風に対応した仮想空間画像の色の濃さとが異なる場合がある。
【０１２４】
第３変形例に係る端末装置３では、本実施形態と同様の効果が得られる。
【０１２５】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【０１２６】
上記実施形態では、空気清浄機２（空気調和機）から取得した情報に基づいて、空気質についての情報や、空気清浄機２の吹出口１２から吹き出される風や空気清浄機２の吹出口１２から吸い込まれる風についての運転情報が、仮想空間画像（第１仮想空間画像〜第３仮想空間画像）として表示画面５２に表示される場合を説明したが、端末装置３が空気清浄機２の運転情報を取得する場合は、空気清浄機２から情報を取得しないで、端末装置３に記憶された情報に基づいて、空気質についての情報や、空気清浄機２の吹出口１２から吹き出される風や空気清浄機２の吹出口１２から吸い込まれる風についての運転情報を、仮想空間画像（第１仮想空間画像〜第３仮想空間画像）として表示画面５２に表示してもよい。
【０１２７】
また、上記実施形態では、空気質として、水分、ホコリ、花粉、ニオイを挙げたが、空気質はこれらに限られるものではない。空気質には、例えば、熱量（温度）、ウィルス、カビ、その他微生物、粒子状物質、二酸化炭素、一酸化炭素、有毒ガスなど様々なものが含まれる。したがって、空気清浄機２が熱量を検出する温度センサ、ウィルス量を検出するウィルスセンサ、カビ量を検出するカビ検出センサなど、各種空気質の量を検出する検出センサを備えていれば、熱量（温度）、ウィルス、カビなどを仮想空間画像として、空調空間６０の撮像画像上に表示できる。
【０１２８】
また、上記実施形態では、図４に示すように、空気質に対応した仮想空間画像（第１仮想空間画像）が空気質の種類ごとに異なるが、必ずしも空気質の種類ごとに異なる必要はない。
【０１２９】
また、上記実施形態では、図４に示すように、空気質に対応した仮想空間画像の形状が空気質の種類ごとに異なるが、それに限られるものではない。例えば、空気質に対応した仮想空間画像の色が空気質の種類ごとに異なってもよいし、空気質に対応した仮想空間画像の動きが空気質の種類ごとに異なってもよい。
【０１３０】
また、上記実施形態では、表示画面５２に対する空気質画像の割合が、空調空間６０に含まれる空気質の量に基づいて決まるが、それに限られるものではない。
【０１３１】
また、上記実施形態では、表示画面５２に対する空気質画像の割合が、空調空間６０に含まれる空気質の量の変化に伴って増減するが、必ずしも増減する必要はない。
【０１３２】
また、上記実施形態では、空気質画像が表示画面５２内を移動するが、移動しなくてもよい。例えば、空気質画像は、停止していてもよいし、位置が変わらないように変化していてもよい。
【０１３３】
また、上記実施形態では、過去の空気質情報が表示画面５２に表示されるが、過去の空気質情報が表示画面５２に表示されなくてもよい。
【０１３４】
また、上記実施形態では、図８に示すように、運転開始前の特定時刻における空気質情報が表示画面５２に表示されるが、過去の時刻であれば、運転開始前の特定時刻に限られない。
【０１３５】
また、上記実施形態では、過去の所定時刻から現在までの空気質情報の変化が、表示画面５２に表示されるが、過去の所定時刻から現在までの空気質情報の変化が表示画面５２に表示されなくてもよい。
【０１３６】
また、上記実施形態では、空気質の量が所定範囲内となるのに必要な空気調和機の運転時間（必要運転時間）についての情報が表示画面５２に表示されるが、必要運転時間についての情報が表示画面５２に表示されなくてもよい。
【０１３７】
また、上記実施形態では、空気質の量が所定範囲内となるのに必要な空気調和機の運転時間（必要運転時間）についての情報が表示画面５２に表示されるが、画像作成部５５が必要運転時間における空気質情報（未来の空気質情報）に基づいて仮想空間画像を作成し、それを空調空間６０の撮像画像上に表示してもよい。また、現在から必要運転時間までの空気質情報の変化を空調空間６０の撮像画像上に表示してもよい。
【０１３８】
また、上記実施形態では、空気清浄機２（空気調和機）の吸込口１１から吸い込まれる風についての情報が仮想空間画像（第２仮想空間画像）として表示画面５２に表示されるが、空気清浄機２の吸込口１１から吸い込まれる風についての情報が表示画面５２に表示されなくてもよい。
【０１３９】
また、上記実施形態では、空気清浄機２（空気調和機）の吸込口１１から吸い込まれる風に対応する仮想空間画像の色または色の濃さが、空調空間６０に含まれる空気質の量に基づいて変化するが、変化しなくてもよい。
【０１４０】
また、上記実施形態では、空気清浄機２（空気調和機）の吸込口１１から吸い込まれる風に対応する仮想空間画像が風の吸い込み流れを示すように変化するとともに、その変化の速度が、空気清浄機２（空気調和機）の風量に基づいて増減する。しかし、空気清浄機２の吸込口１１から吸い込まれる風の速度は変化しなくてもよいし、空気清浄機２の吸込口１１から吸い込まれる風自体が変化しなくてもよい。
【０１４１】
また、上記実施形態では、空気質画像が、空気清浄機２の吸込口１１から吸い込まれる風に対応する仮想空間画像とともに空気清浄機２（空気調和機）の吸込口１１に吸い込まれるように変化するが、空気質画像が空気清浄機２の吸込口１１から吸い込まれるように変化する必要はない。
【０１４２】
また、上記実施形態では、空気清浄機２（空気調和機）の吹出口１２から吹き出される風についての情報が仮想空間画像（第３仮想空間画像）として表示画面５２に表示されるが、空気清浄機２の吹出口１２から吹き出される風についての情報が表示画面５２に表示されなくてもよい。
【０１４３】
また、上記実施形態では、空気清浄機２の吸込口１１から吸い込まれる風に対応する仮想空間画像（第２仮想空間画像）の色または色の濃さと、空気清浄機２の吹出口１２から吹き出される風に対応する仮想空間画像（第３仮想空間画像）の色または色の濃さとが異なる場合があるが、常に同じであってもよい。
【０１４４】
また、上記実施形態では、空気清浄機２の吹出口１２から吹き出される風に対応した仮想空間画像が常に一色（例えば、青色）で表されるが、これに限られるものではない。例えば、空気質の量にしたがって異なる色（例えば、赤色や青色）で表されてもよいし、空気清浄機２内のフィルタ部１３が取り除かれている場合やフィルタ部１３が詰まった場合に異なる色（例えば、赤色）で表されてもよい。
【０１４５】
また、上記実施形態では、図１２に示すように、表示選択部（不図示）を選択することで、複数の種類の空気質のうちから任意の１つの空気質を選択して空調空間６０の撮像画像上に表示することができるが、複数の種類の空気質のうちから複数の空気質を選択して空調空間６０の撮像画像上に表示することができてもよい。
【０１４６】
また、上記実施形態では、空気清浄機２が除湿ユニットを備えているが、加湿ユニットを備えていてもよいし、加湿ユニットおよび除湿ユニットを備えていてもよい。
【０１４７】
また、上記実施形態では、空気調和機として空気清浄機２を例にとって説明したが、空気調和機は、室内機と室外機を有し、冷房運転や暖房運転を行うものであってもよい。
【０１４８】
また、上記実施形態では、端末装置３として、例えばスマートフォンなどのカメラ付き液晶端末を例に挙げて説明したが、端末装置３は空気調和機２のリモコンであってもよい。
【産業上の利用可能性】
【０１４９】
本発明を利用すれば、空気調和を行う対象となる空調空間に含まれる空気質の状態を容易に把握できる。
【符号の説明】
【０１５０】
１  空調ユニット
２  空気清浄機（空気調和機）
３  端末装置
１１  吸込口
１２  吹出口
５０  撮像部（撮像手段）
５２  表示画面
５７  通信部（通信手段）
５３  制御部（制御手段）
６０  空調空間
６１  水分画像（第１仮想空間画像）
６２  ホコリ画像（第１仮想空間画像）
６３  花粉画像（第１仮想空間画像）
６４  ニオイ画像（第１仮想空間画像）
７１、７４  時刻選択部
【図１】
2014206291.tif 000003
【図２】
2014206291.tif 000004
【図３】
2014206291.tif 000005
【図４】
2014206291.tif 000006
【図５】
2014206291.tif 000007
【図６】
2014206291.tif 000008
【図７】
2014206291.tif 000009
【図８】
2014206291.tif 000010
【図９】
2014206291.tif 000011
【図１０】
2014206291.tif 000012
【図１１】
2014206291.tif 000013
【図１２】
2014206291.tif 000014
【図１３】
2014206291.tif 000015
【図１４】
2014206291.tif 000016